(57)【特許請求の範囲】
【請求項１】
帯状またはマトリクス状に配置された多数のドットを、ドット数が２以下の少数グループとこの少数グループより多いドット数のグループからなる複数のグループに分割するとともに、各グループに属するドットに対向するグリッドを各グループごとに設け、各グループごとに時分割で順に対応するグリッドに所定電位を印加して駆動するとともに、これに同期してアノード制御部から各ドットに所定発光電位を印加することによりダイナミック駆動を行う蛍光表示器において、
前記少数グループに対向する独立グリッドと、
各グループに属するドットのうち独立グリッドに対向するドット以外のドットに対向するグリッドとを備え、
任意のグループのドットを発光させる場合には、対応するグリッドとそのグリッドの両側に隣接する独立グリッドとを同期させて駆動することを特徴とする蛍光表示器。
【請求項２】
請求項１記載の蛍光表示器において、
任意の独立グリッドが駆動されている場合には、その独立グリッドに対向するドットのうち、発光させないグループに属するドットに対して所定消去電位を印加することを特徴とする蛍光表示器。
【請求項３】
請求項１または請求項２記載の蛍光表示器において、
任意の独立グリッドが駆動されている場合には、その独立グリッドに隣接する非駆動グリッドに対向するドットのうち、少なくとも前記独立グリッドに隣接するドットに対して所定消去電位を印加することを特徴とする蛍光表示器。
【発明の詳細な説明】
【０００１】
【発明の属する技術分野】
本発明は、蛍光表示器に関し、特に多数のドットが帯状またはマトリクス状に配置された蛍光表示管を駆動する蛍光表示器に関するものである。
【０００２】
【従来の技術】
一般に、この種の蛍光表示器では、帯状（列状）またはマトリクス状に配置された多数のドット（セグメント／アノード）を、複数のグループに分割するとともに、各グループごとにグリッドを設けて、これらグリッドに順に電位を印加することにより、各ドットを各グループごとに交互に駆動するダイナミック駆動を行うものとなっている。
【０００３】
図８は、従来の蛍光表示器の構成例を示すブロック図である。
この蛍光表示器には、多数のドット１Ｄを有するドットマトリクス型の蛍光表示管１が設けられている。
この場合、８×８（縦ｍ×横ｎ）個のドットで１グループ分（１文字分）を表示するものとなっており、全部でグループＤ１〜Ｄ４の４グループ分設けられている。
【０００４】
蛍光表示管１には、各グループＤ１〜Ｄ４を構成する各ドットとフィラメント（カソード：図示せず）との間に、グリッドＧ０〜Ｇ４が個別に設けられている。
この場合、グループＤ１には、グリッドＧ０，Ｇ１が対応し、同様にして、グループＤ２には、グリッドＧ１，Ｇ２が対応し、グループＤ３には、グリッドＧ２，Ｇ３が対応し、グループＤ４には、グリッドＧ３，Ｇ４が対応している。
【０００５】
これら、グリッドＧ０〜Ｇ４には、グリッド制御部３から個別に時分割で順に所定の電位（正電位）が印加されるものとなっている。
また、蛍光表示管１の各ドットには、アノード制御部２から、表示データとクロックとに基づき、グリッドＧ０〜Ｇ４のうちいずれか対応する２つグリッドに同期して、各ドットの発光／消去を制御する所定の発光電位／消去電位が印加される。
【０００６】
この例では、グループＤ１とグループＤ２を構成する８×８×２＝１２８個のドットに対して、アノード制御部２から並列的に電位が印加される。
さらに、グループＤ１を構成する８×８個のドットがグループＤ３を構成するドットのうちそれぞれ対応する位置のドットと並列接続されており、グループＤ２とグループＤ４を構成するそれぞれ８×８個のドットも同様にして並列接続されている。
【０００７】
図９は各グループの最上位ドット列のアノード配線を示す説明図である。
アノード制御部２からのアノード配線Ａ１１〜Ａ１８は、グループＤ１の最上位ドット列を構成するドット１１〜１８に接続されており、さらにグループＤ３のドット３１〜３８にも接続されている。
また、アノード制御部２からのアノード配線Ａ２１〜Ａ２８は、グループＤ２ドット２１〜２８に接続され、さらにグループＤ４のドット４１〜４８にも接続されている。
【０００８】
図１０は従来の駆動制御を示すタイミングチャートであり、特に最上位ドット列に関するものである。
時刻Ｔ１において、グループＤ１に対応するグリッドＧ０，Ｇ１に対してグリッド制御部３から電位が印加される。
これに同期して、アノード制御部２からアノード配線Ａ１１〜Ａ１８に対して、グループＤ１のドット８個を駆動するための電位が印加される。
【０００９】
これにより、グリッドＧ０，Ｇ１に対向している各ドットのうち、グループＤ１の各ドット１１〜１８のみ発光するものとなる。
このとき、アノード制御部２からの電位は、グループＤ３の各ドットにも印加されるがグリッドＧ２，Ｇ３に電位が印加されていないため発光しない。
【００１０】
一方、時刻Ｔ２では、グリッドＧ１，Ｇ２に電位が印加されるとともに、アノード配線Ａ２１〜Ａ２８に電位が印加され、グリッドＧ１，Ｇ２に対向配置された各ドットのうち、グループＤ２の各ドット２１〜２８のみ発光するものとなる。
【００１１】
このようにして、各時刻Ｔ１〜Ｔ４ごとに、各グリッドＧ１〜Ｇ４のうち、グループＤ１〜Ｄ４に対応する２つのグリッドが時分割で順に駆動されるとともに、アノード制御部２からアノード配線Ａ１１〜Ａ１８とアノード配線Ａ２１〜Ａ２８とに交互に電位が印加され、各ドットがグループ単位でダイナミック駆動（１／４デューティー比）されるものとなっていた。
【００１２】
【発明が解決しようとする課題】
しかしながら、このような従来の蛍光表示器では、例えばグループＤ１，Ｄ３を構成する各ドットが並列接続される分だけ、アノード制御部２からのアノード配線数を削減できるものの、依然としてｍ×ｎ×２本ものアノード配線やドライバ回路が必要となり、蛍光表示器の小型化や高密度表示の妨げとなるという問題点があった。
【００１３】
なお、すべてのグループで同一位置に配置されたドットをそれぞれ並列接続することによりアノード配線数を削減し、グリッドへの電位印加制御のみによりダイナミック駆動する方法も考えられるが、前述した隣接する非駆動グリッドの影響により良好な表示出力が得られないという問題点が解決されない。
本発明はこのような課題を解決するためのものであり、比較的小型で高密度表示できるとともに、良好な表示出力が得られる蛍光表示器を提供することを目的としている。
【００１４】
【課題を解決するための手段】
このような目的を達成するために、請求項１の発明は、蛍光表示器において、少数グループに対向する独立グリッドと、各グループに属するドットのうち独立グリッドに対向するドット以外のドットに対向するグリッドとを備え、任意のグループのドットを発光させる場合には、対応するグリッドとそのグリッドの両側に隣接する独立グリッドとを同期させて駆動するようにしたものである。
したがって、独立グリッドが必要に応じて隣接するグリッドと同期して駆動され、両グリッド間で共用される。
【００１５】
また、請求項２の発明は、請求項１において、任意の独立グリッドが駆動されている場合には、その独立グリッドに対向するドットのうち、発光させないグループに属するドットに対して所定消去電位を印加するようにしたものである。
また、請求項３の発明は、請求項１または請求項２において、任意の独立グリッドが駆動されている場合には、その独立グリッドに隣接する非駆動グリッドに対向するドットのうち、少なくとも前記独立グリッドに隣接するドットに対して所定消去電位を印加するようにしたものである。
【００１６】
【発明の実施の形態】
次に、本発明について図面を参照して説明する。
図１は本発明の一実施の形態である蛍光表示器のブロック図であり、同図において、前述の説明（図８）と同じまたは同等部分には同一符号を付してある。
本発明では、従来（図８参照）のグループ対応グリッドの境界部分に新たに独立グリッドを設けて、任意のグループのドットを駆動する場合には、対応するグリッドと、それに隣接する独立グリッドとを同期して駆動するようにしたものである。
【００１７】
図１において、グリッドＧ１−Ｇ２間、Ｇ２−Ｇ３間、およびＧ３−Ｇ４間の各グリッド境界部分に、それぞれ独立グリッドＧ１１，Ｇ１２，Ｇ１３が設けられており、また、グリッドＧ１，Ｇ４の端側にも独立グリッドＧ１０，Ｇ１４が設けられている。
【００１８】
各独立グリッドＧ１０〜１４には、グリッドＧ１〜Ｇ４と同様に、グリッド制御部３から個別に電位が印加され駆動される。
この場合、独立グリッドＧ１１〜１３は、それぞれ横に２ドット分の幅を有しており、それぞれ異なるグループに属する２つのドットに対向するように配設されている。
【００１９】
また、独立グリッドＧ１０，１４は、横に１ドット分の幅を有している。
これら独立グリッドには、これら独立グリッドに対向する各ドットを駆動するタイミングで、グリッド制御部３から電位が印加される。
【００２０】
図２は本発明の第１の実施の形態によるアノード配線を示す説明図であり、特に最上位ドット列に関するものである。
アノード制御部２からのアノード配線Ａ１１，Ａ１８は、グループＤ１の最上位ドット列を構成するドット１１，１８に接続されており、さらにグループＤ３のドット３１，３８にも並列接続されている。
【００２１】
同様にして、アノード配線Ａ２１，Ａ２８は、グループＤ２のドット２１，２８とグループＤ４のドット４１，４８にそれぞれ並列接続されている。
さらに、アノード制御部２からのアノード配線Ａ２〜Ａ７は、グループＤ１の最上位ドット列を構成するドット１２〜１７に接続されており、さらにグループＤ２のドット２２〜２７、グループＤ３のドット３２〜３７、グループＤ４のドット４２〜４７の各ドットにそれぞれ並列接続されている。
【００２２】
次に、図３を参照して、本発明の第１の実施の形態による動作を説明する。
図３は本発明による第１の実施の形態による駆動制御を示すタイミングチャートであり、特に最上位ドット列に関するものである。
時刻Ｔ１において、グループＤ１に対応するグリッドＧ１および独立グリッドＧ１０，１１に対してグリッド制御部３から電位が印加される。
これに同期して、アノード制御部２からアノード配線Ａ１１，Ａ１８およびＡ２〜Ａ７に対して、グループＤ１の最上位ドット８個を駆動するための電位が印加される。
【００２３】
これにより、グリッドＧ１および独立グリッドＧ１０，１１に対向するグループＤ１の各ドットのうち、アノード制御部２から電位が印加されているドットのみ発光するものとなる。
図４は独立グリッド付近の動作を示す説明図である。
グループＤ１のドットを表示させる場合、グリッドＧ１の駆動に同期して、独立グリッドＧ１１にも正電位が印加される。
【００２４】
これにより、フィラメントＦからグリッドＧ１，Ｇ１１により電子が引き出され、発光電位が印加されているドットに衝突して発光する。
ここで、隣接するグループＤ２の非駆動グリッドＧ２に負電位が印加されているが、独立グリッドＧ１１に対向しているドット１８とグリッドＧ２との間に、ドット２１が配置されており、両者がある程度距離的に離れている。
【００２５】
したがって、グリッドＧ２の影響によりフィラメントからの電子が独立グリッドＧ１１の隣接部分に届きにくくなっても、ドット１８の発光量には影響なく良好な表示出力が得られる。
【００２６】
なお、この場合、グループＤ２に属するドット２１については、駆動タイミング外であることから、アノード配線Ａ２１を介した電位の印加が停止されている。
しかし、ドット２１の電位によっては、独立グリッド１１の影響により、ドット２２が僅かに発光し、蛍光表示器全体として良好な表示出力が得られなくなる。
【００２７】
このような場合には、駆動独立グリッドに対向する駆動非対象グループに属するドットに対して、例えばフィラメントＦと同一の電位など、発光電位より十分低い消去電位を印加するようにしてもよい。
これにより、駆動非対象グループに属するドットの弱発光が抑制され、蛍光表示器全体として良好な表示出力が得られる。
【００２８】
一方、時刻Ｔ２では、グリッドＧ２および独立グリッドＧ１１，１２に電位が印加されるとともに、アノード配線Ａ２１，２８およびＡ２〜Ａ７に電位が印加され、グリッドＧ２および独立グリッドＧ１２，Ｇ２３に対向配置されたグループＤ２の各ドットのうち、アノード制御部２から電位が印加されているドットのみ発光するものとなる。
【００２９】
このようにして、各時刻Ｔ1 〜Ｔ4 ごとに、グリッドＧ１〜Ｇ４のいずれかと、そのグリッドに隣接する独立グリッドＧ１０〜１４のいずれか２つに対して、時分割で順にグリッド制御部３から電位が印加される。
さらに、これと同期して、アノード制御部２からアノード配線Ａ２〜Ａ７に表示データに応じた電位が印加されるとともに、アノード配線Ａ１１，Ａ１８とアノード配線Ａ２１，ＡＡ２８とに表示データに応じた電位が交互に印加され、各ドットがグループ単位でダイナミック駆動（１／４デューティー比）される。
【００３０】
このように、表示グループに対応して設けらたれ各グリッド境界部分に独立グリッドをそれぞれ設けて、任意のグループのドットを発光させる場合には、対応するグリッドとそのグリッドに隣接する独立グリッドに対して電位を印加するようにしたので、非駆動グリッドの影響による隣接ドットの発光量の低下を抑制でき、良好な表示出力が得られるとともに、グリッドＧ１〜Ｇ４に対向するドットを全てのグリッドＧ１〜Ｇ４で並列接続することができる。
【００３１】
したがって、図２に示すように、最上位ドット列については、アノード制御部２からのアノード配線本数が、アノード配線Ａ２〜Ａ７と、アノード配線Ａ１１，Ａ１８，Ａ２１，Ａ２８の１０本となり、従来の１６本と比較して大幅に低減でき、アノード制御部２の回路規模も削減できる。
【００３２】
一般的には、１つのグループのマトリクスが縦Ｍドット（Ｍは１以上の整数）×横Ｎドット（Ｎは３以上の整数）とし、独立グリッドの横幅がＫドット（Ｋは２以上の整数）とした場合、本発明によるアノード配線数Ａは、
Ａ＝Ｍ×｛（Ｎ−Ｋ）＋（Ｋ×２）｝
＝Ｍ×（Ｎ＋Ｋ）                    ‥‥（１）
となり、Ｋ＝２とした場合には、図９の従来例と比較して、Ｎ＞Ｋの条件下すなわち横ドット数Ｎが３以上であればアノード配線本数が低減される。
【００３３】
なお、独立グリッドの横幅Ｋは２ドットである必要はなく、異なるグループに属するドットが少なくとも１ドットずつ含まれていればよい。
ただし、前述の式（１）に示されているように、Ｋが小さければ小さいほど、アノード配線数Ａが小さくなるのは明らかであり、同一条件下ではＫ＝２でアノード配線数Ａを最小にすることができる。
【００３４】
次に、図５を参照して、本発明の第２の実施の形態について説明する。
図５は本発明の第２の実施の形態によるアノード配線を示す説明図であり、特に最上位ドット列に関するものである。
ここでは、第１の実施の形態（図２参照）と比較して、任意の独立グリッドに電位が印加されている場合には、その独立グリッドに隣接する非駆動グリッドに対向するドットのうち、独立グリッドに隣接するドットに対して消去電位を印加するようにしたものである。
【００３５】
図５では、各グループＤ１のドット１２とグループＤ３のドット３１とがアノード配線Ａ１２により並列接続され、グループＤ１のドット１７とグループＤ３のドット３８とがアノード配線Ａ１７により並列接続されている。
また、グループＤ２のドット２２とグループＤ４のドット４１とがアノード配線Ａ２２により並列接続され、グループＤ２のドット２７とグループＤ４のドット４８とがアノード配線Ａ２７により並列接続されている。
【００３６】
さらに、アノード制御部２からのアノード配線Ａ３〜Ａ６は、グループＤ１の最上位ドット列を構成するドット１３〜１６に接続されており、さらにグループＤ２のドット２３〜２６、グループＤ３のドット３３〜３６、グループＤ４のドット４３〜４６の各ドットにそれぞれ並列接続されている。
【００３７】
次に、図６を参照して、本発明の第２の実施の形態による動作を説明する。
図６は本発明による第２の実施の形態による駆動制御を示すタイミングチャートであり、特に最上位ドット列に関するものである。
時刻Ｔ１において、グループＤ１に対応するグリッドＧ１および独立グリッドＧ１０，１１に対してグリッド制御部３から電位が印加される。
【００３８】
これに同期して、アノード制御部２からアノード配線Ａ１１，Ａ１２，Ａ１７，Ａ１８およびＡ３〜Ａ６に対して、グループＤ１の最上位ドット８個を駆動するための電位が印加される。
これにより、グリッドＧ１および独立グリッドＧ１０，１１に対向するグループＤ１の各ドットのうち、アノード制御部２から電位が印加されているドットのみ発光するものとなる。
【００３９】
図７は独立グリッド付近の動作を示す説明図である。
グループＤ１のドットを表示させる場合、グリッドＧ１の駆動に同期して、独立グリッドＧ１１にも正電位が印加される。
これにより、フィラメントＦからグリッドＧ１，Ｇ１１により電子が引き出され、発光電位が印加されているドットに衝突して発光する。
【００４０】
このとき、独立グリッドＧ１１の影響により、非駆動グリッドＧ２に対向するドット２２の方向にも電子が放出され、ドット２２の電位によっては、ドット２２が僅かに発光し、蛍光表示器全体として良好な表示出力が得られなくなる。
本実施の形態では、独立グリッドＧ１１に電位が印加されている場合には、これに隣接する非駆動グリッドＧ２のドット２２に対して、例えばフィラメントＦと同一の電位など、発光電位より十分低い消去電位が印加される。
【００４１】
これにより、独立グリッドＧ１１の影響によるドット２２の弱発光を抑制することができ、蛍光表示器全体として良好な表示出力が得られる。
【００４２】
なお、第２の実施の形態によれば、一般的には、１つのグループのマトリクスが縦Ｍドット（Ｍは１以上の整数）×横Ｎドット（Ｎは３以上の整数）とし、独立グリッドの横幅がＫドット（Ｋは２以上の整数）とした場合、アノード配線数Ａは、
Ａ＝Ｍ×｛（Ｎ−Ｋ−２）＋（Ｋ＋２）×２｝
＝Ｍ×（Ｎ＋Ｋ＋２）                ‥‥（２）
となり、Ｋ＝２とした場合には、図９の従来例と比較して、Ｎ＞Ｋ＋２の条件下すなわち横ドット数Ｎが４以上であればアノード配線本数が低減される。
【００４３】
なお、以上の説明において、１／４デューティー比のダイナミック駆動方法を用いた場合を例に説明したがこれに限定されるものではなく、他の比率のダイナミック駆動に対しても、本発明の各実施の形態を適用でき、前述と同様の作用効果が得られる。
また、独立グリッドＧ１０，Ｇ１４については、それぞれグリッドＧ１，Ｇ４として構成してもよい。
【００４４】
【発明の効果】
以上説明したように、本発明は、少数グループに対向する独立グリッドと、各グループに属するドットのうち独立グリッドに対向するドット以外のドットに対向するグリッドとを備え、任意のグループのドットを発光させる場合には、対応するグリッドとそのグリッドの両側に隣接する独立グリッドとを同期させて駆動するようにしたので、非駆動グリッドの影響による隣接ドットの発光量の低下を抑制でき、良好な表示出力が得られるとともに、グリッドに対向するドットを全てのグリッドで並列接続することができ、アノード配線の本数を削減できる。
これにより、比較的小型で高密度表示できるとともに、良好な表示出力が得られる蛍光表示器を実現できる。
【００４５】
また、任意の独立グリッドが駆動されている場合には、その独立グリッドに対向するドットのうち、発光させないグループに属するドットに対して所定消去電位を印加するようにしたのものである。
また、任意の独立グリッドが駆動されている場合には、その独立グリッドに隣接する非駆動グリッドに対向するドットのうち、少なくとも前記独立グリッドに隣接するドットに対して所定消去電位を印加するようにしたものである。
したがって、独立グリッドの影響による発光させないグループに属するドットの弱発光を抑制でき、蛍光表示器全体として良好な表示出力が得られる。
【図面の簡単な説明】
【図１】  本発明の一実施の形態による蛍光表示器のブロック図である。
【図２】  第１の実施の形態によるアノード配線を示す説明図である。
【図３】  第１の実施の形態による駆動制御を示すタイミングチャートである。
【図４】  第１の実施の形態による独立グリッド付近の動作を示す説明図である。
【図５】  第２の実施の形態によるアノード配線を示す説明図である。
【図６】  第２の実施の形態による駆動制御を示すタイミングチャートである。
【図７】  第２の実施の形態による独立グリッド付近の動作を示す説明図である。
【図８】  従来の蛍光表示器を示すブロック図である。
【図９】  従来のアノード配線を示す説明図である。
【図１０】  従来の駆動制御を示すタイミングチャートである。
【符号の説明】
１…蛍光表示管、２１…アノード制御部、３１…グリッド制御部、１１〜１８，２１〜２８，３１〜３８，４１〜４８１…ドット（アノード）、Ａ１１，Ａ１２，Ａ２〜Ａ８，Ａ１７，Ａ１８，Ａ２１，Ａ２２，Ａ２７，Ａ２８１…アノード配線、Ｄ１〜Ｄ４…グループ、Ｇ１〜Ｇ４１…グリッド、Ｇ１０〜Ｇ１４１…独立グリッド、Ｆ１…フィラメント（カソード）。
【図１】
0003881451.tif 000002
【図２】
0003881451.tif 000003
【図３】
0003881451.tif 000004
【図４】
0003881451.tif 000005
【図７】
0003881451.tif 000006
【図５】
0003881451.tif 000007
【図６】
0003881451.tif 000008
【図８】
0003881451.tif 000009
【図９】
0003881451.tif 000010
【図１０】
0003881451.tif 000011